【手続補正書】
【提出日】平成29年2月24日(2017.2.24)
【手続補正１】
【補正対象書類名】特許請求の範囲
【補正対象項目名】全文
【補正方法】変更
【補正の内容】
【特許請求の範囲】
【請求項１】
硬化ポリマー組成物を形成するための組成物であって：
（Ａ）少なくとも反応性シリル基を有するポリマーと；
（Ｂ）アルコキシシラン、アルコキシシロキサン、オキシモシラン、オキシモシロキサン、エノキシシラン、エノキシシロキサン、アミノシラン、カルボキシシラン、カルボキシシロキサン、アルキルアミドシラン、アルキルアミドシロキサン、アリールアミドシラン、アリールアミドシロキサン、アルコキシアミノシラン、アルカリールアミノシロキサン、アルコキシカルバマトシラン、アルコキシカルバマトシロキサン、およびその２種以上の組み合わせから選ばれる架橋剤または鎖伸長剤と；
（Ｃ）（ｉ）カルボジイミド官能性化合物および（ｉｉ）アミノシラン官能性化合物、有機アミンまたはその組み合わせとを含む触媒組成物と
を含み；
任意に、成分（Ａ）１００重量部当たり約０．１から約５重量部のアミノ含有接着促進剤（Ｄ）をさらに含む；及び／又は成分（Ａ）１００重量部当たり約０．１から約５重量部のアミノ官能性シロキサン成分（Ｅ）を含む組成物。
【請求項２】
前記カルボジイミド官能性化合物が、モノカルボジイミド、ポリカルボジイミド、シリカグラフト化カルボジイミド、シリル化カルボジイミド、またはその２種以上の組み合わせから選ばれる、請求項１に記載の組成物。
【請求項３】
前記カルボジイミド官能性化合物が、式：Ｒ6−（Ｎ＝Ｃ＝Ｎ）−Ｒ7［式中、Ｒ6およびＲ7は同じでも異なっていてもよく、水素、ヒドロカルビル基、窒素含有ヒドロカルビル基、酸素含有ヒドロカルビル基、シリコン含有ヒドロカルビル基から選ぶことができる］の化合物から選ばれる、請求項１または２に記載の組成物。
【請求項４】
Ｒ6およびＲ7が、独立してＣ1−Ｃ12脂肪族基、Ｃ6−Ｃ−18芳香族基、または芳香族脂肪族基である、請求項３に記載の組成物。
【請求項５】
前記触媒（Ｃ）（ｉｉ）が、Ｎ−（２−アミノエチル）アミノプロピルトリメトキシシラン、ガンマ−アミノプロピルトリエトキシシラン、ガンマ−アミノプロピルトリメトキシシラン、ビス（ガンマ−トリメトキシシリルプロピル）アミン、Ｎ−フェニル−ガンマ−アミノプロピルトリメトキシシラン、トリアミノ官能性トリメトキシシラン、ガンマ−アミノプロピルメチルジメトキシシラン、ガンマ−アミノプロピルメチルジエトキシシラン、オメガ−ビス−（アミノアルキル−ジエトキシシリル）−ポリジメチルシロキサン（Ｐｎ＝１−７）、アルファ、オメガ−ビス−（アミノアルキル−ジエトキシシリル）−オクタ−メチルテトラシロキサン、４−アミノ−３，３，−ジメチル−ブチル−トリ−メトキシシラン、Ｎ−エチル−３−トリ−メトキシ−シリル−２−メチルプロパンアミン、３−（ジエチル−アミノプロピル）−トリメトキシシランまたはその２種以上の組み合わせのアミノシラン官能性化合物から選ばれる；又は有機アミンが、式Ｒ8−ＮＲ9Ｒ10［式中、Ｒ8、Ｒ9およびＲ10は同じでも異なっていてもよく、水素、ヒドロカルビル基、窒素含有ヒドロカルビル基、酸素含有ヒドロカルビル基、またはその２種以上の組み合わせから選ばれる］の化合物から選ばれる、請求項１−４のいずれかに記載の組成物。
【請求項６】
Ｒ8、Ｒ9およびＲ10が、Ｃ1−Ｃ12脂肪族基、Ｃ6−Ｃ18芳香族基または芳香族脂肪族基から独立して選ばれる、請求項５に記載の組成物。
【請求項７】
前記触媒組成物（Ｃ）が、（ｉ）約２５重量パーセントから約９０重量パーセントの量のカルボジイミド官能性化合物、ならびに約７５重量パーセントから約１０重量パーセントの量のアミノシラン官能性化合物および／または有機アミンを含む；又は（ｉｉ）前記触媒組成物（Ｃ）が、約６０重量パーセントから約７５重量パーセントの量のカルボジイミド官能性化合物、ならびに約２５重量パーセントから約４０重量パーセントの量のアミノシラン官能性化合物および／または有機アミンを含む、請求項１−６のいずれかに記載の組成物。
【請求項８】
成分（Ａ）１００重量部当たり約０．００５から約７重量部の前記触媒組成物（Ｃ）を含む、請求項１−７のいずれかに記載の組成物。
【請求項９】
成分（Ａ）１００重量部当たり、約０．１から約５重量部の、前記カルボジイミド官能性化合物（Ｃ）（ｉ）を含む、請求項１−８のいずれかに記載の組成物。
【請求項１０】
成分（Ａ）１００重量部当たり約０．１から約５重量部の前記アミノシラン官能性化合物および／または前記有機アミン（Ｃ）（ｉｉ）を含む、請求項１−８のいずれかに記載の組成物。
【請求項１１】
前記触媒組成物（Ｃ）が、硬化性組成物への添加前に少なくとも１時間熟成される、請求項１−１０のいずれかに記載の組成物。
【請求項１２】
前記触媒組成物（Ｃ）が、硬化性組成物への添加前に少なくとも１から４８時間熟成される、請求項１−１０のいずれかに記載の組成物。
【請求項１３】
前記ポリマー（Ａ）が、（ｉ）式（２）の化合物
［Ｒ1aＲ23-aＳｉ−Ｚ−］n-Ｘ−Ｚ−ＳｉＲ1aＲ23-a（２）
［式中、Ｘは、ポリウレタン；ポリエステル；ポリエーテル；ポリカルボナート；ポリオレフィン；ポリプロピレン；ポリエステルエーテル；およびＲ3ＳｉＯ1/2、Ｒ2ＳｉＯ、ＲＳｉＯ3/2および／またはＳｉＯ4/2の単位を有するポリオルガノシロキサンから選ばれ、
ｎは０から１００であり、
ａは０から２であり、
ＲおよびＲ1は、同じＳｉ原子で同一でも異なっていてもよく、Ｃ1−Ｃ10アルキル；１個もしくは複数のＣｌ、Ｆ、Ｎ、ＯまたはＳで置換されたＣ1−Ｃ10アルキル；フェニル；Ｃ7−Ｃ16アルキルアリール；Ｃ7−Ｃ16アリールアルキル；Ｃ2−Ｃ4ポリアルキレンエーテル；またはその２種以上の組み合わせから選ばれ、
Ｒ2は、ＯＨ、Ｃ1−Ｃ8−アルコキシ、Ｃ2−Ｃ18−アルコキシアルキル、オキシモアルキル、エノキシアルキル、アミノアルキル、カルボキシアルキル、アミドアルキル、アミドアリール、カルバマトアルキル、またはその２種以上の組み合わせから選ばれ、
Ｚは、結合、Ｃ1−Ｃ8アルキレンの群から選択される二価単位またはＯである。］を有する；又は、
（ｉｉ）式（３）の化合物
Ｒ23-aＲ1aＳｉ−Ｚ−［Ｒ2ＳｉＯ］x［Ｒ12ＳｉＯ］y−Ｚ−ＳｉＲ1aＲ23-a（３）
［式中、
ｘは０から１００００であり；
ｙは０から１０００であり；
ａは０から２であり、
Ｒはメチルであり；
Ｒ1は、Ｃ1−Ｃ10−アルキル；１個もしくは複数のＣｌ、Ｆ、Ｎ、ＯまたはＳで置換されたＣ1−Ｃ10アルキル；フェニル；Ｃ7−Ｃ16アルキルアリール；Ｃ7−Ｃ16アリールアルキル；Ｃ2−Ｃ4ポリアルキレンエーテル；またはその２種以上の組み合わせから選ばれ、好ましくはメチル、ビニル、フェニルである他のシロキサン単位は、１０ｍｏｌ％未満の量で存在してもよく、
Ｒ2は、ＯＨ、Ｃ1−Ｃ8−アルコキシ、Ｃ2−Ｃ18−アルコキシアルキル、オキシモアルキル、エノキシアルキル、アミノアルキル、カルボキシアルキル、アミドアルキル、アミドアリール、カルバマトアルキル、またはその２種以上の組み合わせから選ばれ、
Ｚは、−Ｏ−、結合または−Ｃ2Ｈ4−である、
請求項１−１２のいずれかに記載の組成物。
【請求項１４】
前記架橋剤成分（Ｂ）が、オルトケイ酸テトラエチル（ＴＥＯＳ）；ＴＥＯＳの重縮合物；メチルトリメトキシシラン（ＭＴＭＳ）；ビニル−トリメトキシシラン；メチルビニルジメトキシシラン；ジメチルジエトキシシラン；ビニルトリエトキシシラン；オルトケイ酸テトラ−ｎ−プロピル；ビニルトリス（メチルエチルケトオキシム）シラン；メチルトリス（メチルエチルケトオキシム）シラン；トリスアセトアミドメチルシラン；ビスアセトアミドジメチルシラン；トリス（Ｎ−メチル−アセトアミド）メチルシラン；ビス（Ｎ−メチルアセトアミド）ジメチルシラン；（Ｎ−メチル−アセトアミド）メチルジアルコキシシラン；トリスベンズアミドメチルシラン；トリスプロペンオキシメチルシラン；アルキルジアルコキシアミドシラン；アルキルアルコキシビスアミドシラン；ＣＨ3Ｓｉ（ＯＣ2Ｈ5）1-2（ＮＨＣＯＲ）2-1；（ＣＨ3Ｓｉ（ＯＣ2Ｈ5）（ＮＣＨ3ＣＯＣ6Ｈ5）2；ＣＨ3Ｓｉ（ＯＣ2Ｈ5）−（ＮＨＣＯＣ6Ｈ5）2；メチルジメトキシ（エチルメチルケトオキシム）シラン；メチルメトキシビス−（エチルメチルケトオキシム）シラン；メチルジメトキシ（アセトアルドキシモ）シラン；メチルジメトキシ（Ｎ−メチルカルバマト）シラン；エチルジメトキシ（Ｎ−メチルカルバマト）シラン；メチルジメトキシイソプロペンオキシシラン；トリメトキシイソプロペンオキシシラン；メチルトリ−イソ−プロペンオキシシラン；メチルジメトキシ（ブタ−２−エン−２−オキシ）シラン；メチルジメトキシ（１−フェニルエテンオキシ）シラン；メチルジメトキシ−２（１−カルボエトキシプロペンオキシ）シラン；メチルメトキシジ−Ｎ−メチルアミノシラン；ビニルジメトキシメチルアミノシラン；テトラ−Ｎ，Ｎ−ジエチルアミノシラン；メチルジメトキシメチルアミノシラン；メチルトリシクロヘキシルアミノシラン；メチルジメトキシエチルアミノシラン；ジメチルジ−Ｎ，Ｎ−ジメチルアミノシラン；メチルジメトキシイソプロピルアミノシラン、ジメチルジ−Ｎ，Ｎ−ジエチルアミノシラン、エチルジメトキシ（Ｎ−エチルプロピオンアミド）シラン；メチルジメトキシ（Ｎ−メチルアセトアミド）シラン；メチルトリス（Ｎ−メチルアセトアミド）シラン；エチルジメトキシ（Ｎ−メチルアセトアミド）シラン；メチルトリス（Ｎ−メチルベンズアミド）シラン；メチルメトキシビス（Ｎ−メチルアセトアミド）シラン；メチルジメトキシ（カプロラクタモ）シラン；トリメトキシ（Ｎ−メチルアセトアミド）シラン；メチルジメトキシエチルアセトイミダトシラン；メチルジメトキシプロピルアセトイミダトシラン；メチルジメトキシ（Ｎ，Ｎ’，Ｎ’−トリメチルウレイド）シラン；メチルジメトキシ（Ｎ−アリル−Ｎ’，Ｎ’−ジメチルウレイド）シラン；メチルジメトキシ（Ｎ−フェニル−Ｎ’，Ｎ’−ジメチルウレイド）シラン；メチルジメトキシイソシアナトシラン；ジメトキシジイソシアナトシラン；メチルジメトキシチオイソシアナトシラン；メチルメトキシジチオイソシアナトシラン、またはその２種以上の組み合わせから選ばれる、請求項１−１３のいずれかに記載の組成物。
【請求項１５】
前記ポリマー成分（Ａ）１００重量％に基づいて約１から約１０重量％の架橋剤成分（Ｂ）を含む、請求項１−１４のいずれかに記載の組成物。
【請求項１６】
前記架橋剤成分（Ｂ）が、水および成分（Ｆ）の存在下で、加水分解および／またはポリマー（Ａ）とのまたはそれ自体の縮合反応を受けることができる２個以上の反応性基を有するシランまたはシロキサンから選ばれる、請求項１−１５のいずれかに記載の組成物。
【請求項１７】
（ｉ）一液組成物として；又は（ｉｉ）第１の部分（Ｐ１）および第２の部分（Ｐ２）を含む二液組成物として提供される、請求項１−１６のいずれかに記載の組成物。
【請求項１８】
請求項１−１７のいずれかに記載の組成物から形成され、任意に、エラストマーまたは熱硬化性樹脂のシール、接着剤、塗膜、封止剤、成形物品、型および印象材の形態である硬化ポリマー物質。
【請求項１９】
硬化組成物を形成する方法であって、（ａ）少なくとも反応性シリル基を有するポリマー；および（ｂ）アルコキシシラン、アルコキシシロキサン、オキシモシラン、オキシモシロキサン、エノキシシラン、エノキシシロキサン、アミノシラン、カルボキシシラン、カルボキシシロキサン、アルキルアミドシラン、アルキルアミドシロキサン、アリールアミドシラン、アリールアミドシロキサン、アルコキシアミノシラン、アルカリールアミノシロキサン、アルコキシカルバマトシラン、アルコキシカルバマトシロキサン、または、その２種以上の組み合わせから選ばれる架橋剤または鎖伸長剤に触媒組成物を加えることを含み、ここで、触媒組成物は（ｉ）カルボジイミド官能性化合物および（ｉｉ）アミノシラン官能性化合物を含む方法。
【請求項２０】
前記触媒組成物が、（ａ）および／または（ｂ）成分への添加前に約１時間から約４８時間熟成されている、請求項１９に記載の方法。